(57)【要約】【課題】遊技機内における配線作業の効率化を図ることができる遊技機用配線構造を提供する。【解決手段】遊技機用配線構造１は、配線通路部２１に角のない曲面で構成され、かつベース部材１０の表面１１から膨出している曲面部３１を有している凸状通路部３０が設けられていると共に、凸状通路部３０の曲面部３１における頂部を挟んで配線方向の一側と他側とに、凸状通路部３０に配された配線Ｗをベース部材１０の表面１１側から反対側の裏面１２側に向かわせる配線誘導部４１，４２がそれぞれ設けられており、凸状通路部３０における配線Ｗが、曲面部３１に圧接され、かつ凸状通路部３０に連続状に当接している。【選択図】図８
2018038539.tif 000002
【特許請求の範囲】
【請求項１】
遊技機に備えられた所定の基部の表面に形成された配線通路部に配線が配されている遊技機用配線構造であって、
前記配線通路部には、前記配線通路部の配線方向に沿って形成された、角のない曲面で構成され、かつ前記基部の表面から膨出している曲面部を少なくとも有している凸状通路部が設けられていると共に、
前記凸状通路部の前記曲面部における頂部を挟んで前記配線方向の一側と他側とに、前記凸状通路部に配された配線を前記基部の表面側から反対側の裏面側に向かわせる配線誘導部がそれぞれ設けられており、
前記凸状通路部における配線が、前記曲面部に圧接され、かつ前記凸状通路部に連続状に当接していることを特徴とする遊技機用配線構造。
【請求項２】
前記凸状通路部に配された配線の両側には、配線方向に沿って一対の区画壁部が設けられている
請求項１に記載の遊技機用配線構造。
【請求項３】
前記配線誘導部のうち少なくとも一方は、前記基部において表裏方向に貫通状に開口して前記配線通路部の配線が挿通されている配線挿通用開口部である
請求項１又は請求項２に記載の遊技機用配線構造。
【請求項４】
前記凸状通路部の一側の配線誘導部と他側の配線誘導部との間が前記曲面部のみからなり、前記曲面部が円弧面で構成されている
請求項１乃至請求項３のいずれか１項に記載の遊技機用配線構造。
【請求項５】
前記凸状通路部は、前記遊技機に備えられた前扉によって遮蔽される開口部の開口縁部に沿って形成されている
請求項１乃至請求項４のいずれか１項に記載の遊技機用配線構造。
【発明の詳細な説明】
【技術分野】
【０００１】
本発明は、遊技機内の配線を配するための遊技機用配線構造に関する。
【背景技術】
【０００２】
一般的に、パチンコ機やスロットマシン等の遊技機内には、遊技機内に配置された電子部品に接続されたり、遊技店の電子機器に接続されたりする配線が多数配されている。
【０００３】
例えば特許文献１には、遊技盤を傷つけることなく、複数の電子部品からの配線を挿通できる構成が開示されている。また、特許文献２には、コネクタ接続作業を簡単かつ迅速に行うことができる構成が開示されている。さらに特許文献３には、可動式の遊技部材に接続された配線部材が過度に引っ張られないようにする構成が開示されている。
【０００４】
ここで一般的にスロットマシンは、図１３，１４に示すように、遊技機本体１０２を備えており、遊技機本体１０２の前部が開放している。そしてこの開放部分が、前扉１０３によって覆われている。また、前扉１０３は、リール１０９を視認可能とする視認窓１０４が形成され、さらに前扉１０３の遊技者側の面には、遊技操作に用いるベットスイッチ１０５ａ，１０５ｂ、スタートスイッチ１０６、ストップスイッチ１０７、及び精算スイッチ１０８などの操作スイッチと、演出用の画像を表示する画像表示器１１０が配設されている。なお、画像表示器１１０は、液晶表示装置からなり、前扉１０３の上部に嵌め込まれている。一方、図１４に示すように、前扉１０３の遊技機本体１０２側の面であって、画像表示器１１０の裏側には、画像表示器１１０を制御する画像制御手段１２２が配設されている。
【先行技術文献】
【特許文献】
【０００５】
【特許文献１】特開２０１４−１２１５３８号公報
【特許文献２】特開２０１４−２３０７２４号公報
【特許文献３】特開２０１５−２４１９８号公報
【発明の概要】
【発明が解決しようとする課題】
【０００６】
しかしながら、遊技機内部の高密度化はますます進んでおり、所定の配線スペースに配線を確実に配する必要があるところ、狭小な箇所にコンパクトに配線を配することができ、かつ配線作業を容易に行うことができ、しかも断線や不正行為を適正に防止することができる遊技機用の配線構造は、依然として強く望まれている。
【０００７】
そこで本発明は、上記課題の少なくとも一つを好適に解決することができる遊技機用配線構造を提供することを目的とする。
【課題を解決するための手段】
【０００８】
本発明は、遊技機に備えられた所定の基部の表面に形成された配線通路部に配線が配されている遊技機用配線構造であって、前記配線通路部には、前記配線通路部の配線方向に沿って形成された、角のない曲面で構成され、かつ前記基部の表面から膨出している曲面部を少なくとも有している凸状通路部が設けられていると共に、前記凸状通路部の前記曲面部における頂部を挟んで前記配線方向の一側と他側とに、前記凸状通路部に配された配線を前記基部の表面側から反対側の裏面側に向かわせる配線誘導部がそれぞれ設けられており、前記凸状通路部における配線が、前記曲面部に圧接され、かつ前記凸状通路部に連続状に当接していることを特徴とする遊技機用配線構造である。
【０００９】
通常、配線を平面的な配線通路に配した場合、配線通路内の配線を両端で単に固定しただけでは配線の中央部が配線通路から浮き上がってしまい、浮き上がった配線が他の部材に引っ掛かって断線してしまうおそれや、浮き上がった配線に対して不正行為が行われてしまうおそれがあった。そこで本発明にあっては、前記配線通路部に凸状通路部を設け、さらに前記配線誘導部の機能によって凸状通路部における配線部分を前記曲面部に押し付ける状態として、当該凸状通路部に配線を連続的に当接させている。このため、配線が前記配線通路部から浮き上がることを好適に防ぐことができ、配線を所望の位置に保持しつつ、上記のような断線や不正行為を好適に防止することができる。
【００１０】
また、前記凸状通路部に配された配線の両側には、配線方向に沿って一対の区画壁部が設けられていることが望ましい。
【００１１】
かかる構成とすることにより、配線が配線通路部からはみ出してしまうことがなくなるため、配線を配線通路部に確実に保持しておくことが可能となる。また、この区画壁部によって、外部からの不正行為を効果的に防止することもできる。
【００１２】
さらに、前記配線誘導部のうち少なくとも一方は、前記基部において表裏方向に貫通状に開口して前記配線通路部の配線が挿通されている配線挿通用開口部である構成が提案される。
【００１３】
かかる構成とすることにより、前記基部の表面に形成された前記配線通路部に配されている配線を、当該基部の裏面側に好適に向かわせることが可能となる。このため、配線通路部に配された前記配線は、前記曲面部に押し付けられることになり、配線を凸状通路部に連続状に当接させることができる。
【００１４】
また上記した構成にあっては、前記凸状通路部の一側の配線誘導部と他側の配線誘導部との間が前記曲面部のみからなり、前記曲面部が円弧面で構成されていることが望ましい。
【００１５】
かかる構成とすることによって、前記配線を、凸状通路部に対して均等に圧接させることができ、配線の一部に応力が集中してしまうことで生じる不具合の問題を解消することができる。
【００１６】
さらに、前記凸状通路部は、前記遊技機に備えられた前扉によって遮蔽される開口部の開口縁部に沿って形成されている構成が望ましい。
【００１７】
ここで、従来、前記開口縁部に沿って配線が配されると、配線通路部から浮き上がった配線が前扉の開閉時にこの前扉に挟まれて断線してしまうおそれが生じるため、このような開口縁部に配線通路部を設けることは避けられていた。しかしながら本発明にあっては、配線の浮き上がりを好適に防止することができるため、前記開口縁部に配線通路部を形成しても、前扉と開口縁部との間に配線が挟まってしまうようなことを好適に防止することができる。
【図面の簡単な説明】
【００１８】
【図１】前扉における遊技者側に配される面を示す説明図である。
【図２】前扉における遊技機本体側の面を示す説明図である。
【図３】前扉とベース部材とを示す部分分解斜視図である。
【図４】配線通路部の側断面を示す説明図である。
【図５】図２のＸ部分を示す部分拡大正面図である。
【図６】図５のＹ部分を示す部分拡大斜視図である。
【図７】配線時の一態様を示す説明図である。
【図８】（ａ）は配線時の一態様を示す説明図であり、（ｂ）は視認用開口部を示す部分正面図である。
【図９】従来の配線構造の側断面を示す説明図である。
【図１０】配線通路部の変形例を示す説明図である。
【図１１】凸状通路部の変形例を示す説明図である。
【図１２】（ａ）は従来のパネル表示態様を示す説明図であり、（ｂ）は参考例としてのパネル表示態様を示す説明図である。
【図１３】従来の遊技機を示す外観斜視図である。
【図１４】前扉を開放した状態の従来の遊技機を示す外観斜視図である。
【発明を実施するための形態】
【００１９】
スロットマシン等の遊技機に備えられた遊技機用配線構造の実施例を、以下に説明する。なお、実施例を説明する際には、便宜上、上下左右前後の方向を規定して説明する場合があるが、このことは、本発明が下記実施例で定められた方向にのみ限定されて解釈されるものではない。
【００２０】
図１，２に示すように、遊技機本体（図示省略）に対して開閉自在に取り付けられる前扉９の上側中央部には、液晶画面取り付け用開口部１３が設けられている。そして、液晶画面取り付け用開口部１３に、遊技者側α（図３参照）に向けられた液晶画面１４が取り付け可能となっている。
【００２１】
また、図１に示すように、前扉９の遊技者側αの面であって液晶画面取り付け用開口部１３の下方の左右両側には、遊技者側αに向けて音を発するスピーカー７０が各々取り付けられている。さらに、前扉９の遊技者側αの面であって液晶画面取り付け用開口部１３の上方の中央には、スピーカー７０と接続される横長形状の中継基板７１が備え付けられている。
【００２２】
一方、図２，３に示すように、前扉９の遊技機本体側β（図３参照）の面には、複数の電子機器が取り付けられており、これらを繋ぐ配線Ｗを配するための遊技機用配線構造１が構築されている。
【００２３】
例えば、図３に示すように、前扉９の遊技機本体β側の面であって液晶画面取り付け用開口部１３の周囲には、枠体からなるベース部材１０が配設されている。そして、ベース部材１０における側縁部の表面１１に、図４から図８に示すような配線通路部２１が上下方向に沿って形成されている。具体的には、かかる配線通路部２１に、スピーカー７０と中継基板７１とを接続する配線Ｗ（図７参照）が配される。なお、本実施例におけるベース部材１０により、本発明にかかる基部が構成される。
【００２４】
なお、本実施例において、配線通路部２１に配線Ｗを取り付ける配線作業者は、遊技機周りの作業スペースに制限があるため、前扉９の前方に立って作業を行うものとしている。
【００２５】
次に、配線通路部２１の構造について、詳述する。
【００２６】
配線通路部２１にあっては、図４，６等に示したように、配線通路部２１の配線方向（上下方向）に沿って形成された凸状通路部３０が設けられている。
【００２７】
ここで、凸状通路部３０の両端部のうち下端部には、下側配線誘導部４１が設けられている。下側配線誘導部４１は、ベース部材１０において表裏方向に貫通状に開口して配線Ｗが挿通される配線挿通用開口部によって構成されている。一方、他側である上端には、上側配線誘導部４２が設けられている。上側配線誘導部４２は、下側配線誘導部４１と同様に、表裏方向に開口した配線挿通用開口部によって構成されている。
【００２８】
そして、図４に示したような下側配線誘導部４１及び上側配線誘導部４２からそれぞれ凸状通路部３０のほぼ中央に向かうに従って、ベース部材１０に対して離れる方向に傾斜した傾斜平面部３２が各々形成され、さらに凸状通路部３０の区間において頂部となる位置には、傾斜平面部３２と連続して形成されている曲面部３１が形成されている。かかる曲面部３１は、角のない曲面で構成されており、ベース部材１０の表面１１から膨出した形状をなしている。
【００２９】
上記構成は、換言すれば、凸状通路部３０の曲面部３１における頂部を挟んで配線方向の一側である下端に下側配線誘導部４１が配置されていると共に、他側である上端に上側配線誘導部４２が配置されている。
【００３０】
また、図５，６に示したように、上述の配線通路部２１の両側には、配線方向（上下方向）に沿う一対の区画壁部５１，６１が起立状に設けられている。具体的には、一対の区画壁部５１，６１のうち、ベース部材１０の外周縁側に位置しているのが外周縁側区画壁部５１であり、ベース部材１０の内周縁側に位置しているのが内周縁側区画壁部６１である。
【００３１】
なお、本実施例の区画壁部５１，６１は、ベース部材１０の表面１１から立設した構造体によって構成されているが、例えば配線通路部２１がベース部材１０に対して凹溝状に形成されていてもよく、その場合は凹溝の両側面部が区画壁部となる。
【００３２】
また、図５，６に示したように、外周縁側区画壁部５１の一部には、外周縁側区画壁部５１が部分的に切り欠かれている作業用切り欠き部５２が設けられている。かかる作業用切り欠き部５２は、配線作業者が作業用切り欠き部５２に臨む配線通路部２１に対して直接指で触れることを可能とする役割を果たしている。
【００３３】
一方、もう片方の内周縁側区画壁部６１における、作業用切り欠き部５２に対向する位置には、配線通路部２１に向かって差し出された配線保持爪部６２が設けられている。
【００３４】
また、内周縁側区画壁部６１にあっては、外周縁側区画壁部５１に設けられた作業用切り欠き部５２に対向する位置に向かうほど作業用切り欠き部５２に近接する傾斜部６３を有している。
【００３５】
また、図１等に示すように、ベース部材１０における配線保持爪部６２に臨む位置には、ベース部材１０の表裏方向に貫通状に開口した視認開口部１５が設けられている。
【００３６】
次に、前扉９の前方に立つ配線作業者が、上述した配線通路部２１に配線を配する場合の作業手順の一例を詳述する。
【００３７】
まず図７に示したように、配線Ｗの一端（下端）を、表面１１側から裏面１２側に向かうように下側配線誘導部４１に挿通すると共に、配線Ｗの他端（上端）を、同様に上側配線誘導部４２に挿通する。
【００３８】
そして図８（ａ）に示したように、配線Ｗの一端側をスピーカー７０に接続した後、配線Ｗの他端側を引っ張りながら配線通路部２１に順次配線Ｗを配していく。このとき配線作業者は、作業用切り欠き部５２を手探りで確認しながら配線通路部２１に差し出されている配線保持爪部６２の下に配線Ｗを押し込んでくぐらせて適正位置で保持させる。
【００３９】
なお、配線通路部２１に配線Ｗが適切に配されているか否か、あるいは配線保持爪部６２に配線Ｗが適切に保持されているか否かについては、配線作業者が前扉９の前方から、図８（ｂ）に示すように、ベース部材１０の裏面１２に開口している視認開口部１５を介して確認することができる。
【００４０】
そして、配線Ｗの他端を所定の中継基板７１に接続して配線Ｗの配線作業を完了する。これにより、前扉９の遊技者側αの面において液晶画面１４を挟むように配置されているスピーカー７０と中継基板７１とが、前扉９の遊技機本体側βの面に形成された凸状通路部３０に配された配線Ｗによって互いに接続されることとなる。
【００４１】
このとき、配線通路部２１に配された配線Ｗは、下側配線誘導部４１及び上側配線誘導部４２によってベース部材１０の表面１１側から反対側の裏面１２側に誘導されていると共に、凸状通路部３０における配線Ｗ部分が曲面部３１に押し付けられる状態となって凸状通路部３０に連続状に当接している。このように上記構成は、凸状通路部３０に当接している配線Ｗに対して配線方向において途切れることなく押付力を加えることが可能となるため、配線Ｗが配線通路部２１から浮き上がることが防止されている。
【００４２】
また、凸状通路部３０に配された配線Ｗの両側に外周縁側区画壁部５１と内周縁側区画壁部６１とが設けられていることによって、配線Ｗが配線通路部２１から外れてしまうことがない。そのため、本実施例のように配線通路部２１が遊技機本体の開口縁部に沿って形成されていたとしても、配線Ｗが前扉９と遊技機本体との間や他の部材間に挟まれてしまうおそれはない。
【００４３】
ここで従来の平面的な配線通路部を有し、区画壁部を備えない配線構造の場合は、図９に示したように、配線Ｗを裏側から引っ張っても配線Ｗが配線通路部から浮き上がってしまう。浮き上がった配線Ｗは他の部材に干渉したり、遊技機本体と前扉との間に挟まったりして断線するおそれがある。また例えば、前扉の前方に配線作業者が立つと配線Ｗを目視しながら配線作業を行うことが困難となる。
【００４４】
一方、本実施例の遊技機用配線構造１においては、配線作業者は、ベース部材１０の表面１１の配線通路部２１を直接目視することができない作業環境であっても、作業用切り欠き部５２を指で探り当てれば配線通路部２１に触れることができ、そして上述のように配線Ｗを配線保持爪部６２に確実に保持させることができる。なお、配線保持爪部６２は、内周縁側区画壁部６１の傾斜部６３に設けられているため、作業用切り欠き部５２に近接して配されることとなり、作業性がさらに向上する。また、配線Ｗが内周縁側区画壁部６１に沿って作業用切り欠き部５２に向かって徐々に漸近していくことになるため、配線作業者は、内周縁側区画壁部６１に触れながら配線Ｗを配線保持爪部６２に徐々に案内することもできる。
【００４５】
ところで、図５等に示したように、内周縁側区画壁部６１における視認開口部１５に臨む位置には、ベース部材１０の表面１１と接続している補強用リブ６５が接続されている。ここで、ベース部材１０に視認開口部１５が設けられると、当該部位が断面欠損により強度の低下が懸念されるところ、補強用リブ６５がベース部材１０と内周縁側区画壁部６１とを接続することによって強度の低下を抑制することができる。また、補強用リブ６５の位置には、内周縁側区画壁部６１と配線保持爪部６２と視認開口部１５と作業用切り欠き部５２とが集合しているため、配線作業者は、まず補強用リブ６５を探り当てることで配線保持爪部６２や作業用切り欠き部５２の位置を特定することもできる。すなわち、補強用リブ６５自体も、配線作業を向上させる機能を有している。
【００４６】
本実施例における遊技機用配線構造１を採用することの利点を再述する。
【００４７】
遊技機用配線構造１の配線通路部２１に配された配線Ｗは、凸状通路部３０に連続状に当接しており、凸状通路部３０に配されている配線Ｗに対して配線方向において途切れることなく押付力を加えることが可能である。このため、配線Ｗの浮き上がりが防止できる。
【００４８】
さらに区画壁部５１，６１によって配線Ｗを凸状通路部３０に確実に位置させることができ、不正行為も好適に防止できる。
【００４９】
下側配線誘導部４１及び上側配線誘導部４２がベース部材１０に開口した配線通路部２１の配線が挿通されている配線挿通用開口部であることによって、ベース部材１０の表面１１側に配された配線Ｗをベース部材１０の裏面１２側に好適に向かわせることができる。
【００５０】
外周縁側区画壁部５１の作業用切り欠き部５２を指で探り当てることで、配線保持爪部６２の所要位置に配線Ｗを確実に配置することができる。すなわちベース部材１０に対して配線作業者と作業面とを正対させる必要がない。また、配線保持爪部６２と配線Ｗとの位置関係は指で触って確認することができる。また視認開口部１５から配線Ｗの位置を視認することも容易にできる。
【００５１】
補強用リブ６５によってベース部材１０と内周縁側区画壁部６１とを接続することによって、視認開口部１５を設けることによる強度低下を抑制することができる。また、配線作業者は、まず補強用リブ６５を探り当てることで配線保持爪部６２や作業用切り欠き部５２の位置を特定することもできるため、補強用リブ６５自体も、配線作業を向上させる機能を有している。
【００５２】
内周縁側区画壁部６１に傾斜部６３が設けられていることによって、配線通路部２１に配された配線Ｗが、作業用切り欠き部５２に近接して配されることとなり、作業性がさらに向上する。また、傾斜部６３が設けられることによって配線Ｗが作業用切り欠き部５２に向かって徐々に漸近していくことで、配線作業者は、内周縁側区画壁部６１に触れながら配線Ｗを配線保持爪部６２に徐々に案内することもできる。
【００５３】
前扉９の開閉が頻繁に行われてもベース部材１０の表面１１側の配線通路部２１から配線Ｗが浮き上がったり外れたりする心配がないので、遊技機本体の開口縁部となる位置に配線通路部２１を配置しても配線Ｗが挟まって断線することはない。
【００５４】
また、変形例を図１０に従って説明する。
【００５５】
図１０に示したように、凸状通路部７２が、例えば下側配線誘導部４１と上側配線誘導部４２との間が全て曲面部３３のみからなる円弧面で構成されていてもよい。この場合、凸状通路部７２全体に配線Ｗを均等に圧接させることができる。
【００５６】
なお、これまでに述べた実施例において、各部の寸法形状は適宜自由に設定可能である。
【００５７】
また例えば、単一の配線通路部２１に対して複数の配線Ｗが配されていても構わない。また、補強用リブ６５は、単数であってもよいし複数であってもよい。また、これまでに述べた構成は、凸状通路部３０，７２の両端部に、配線挿通用開口部からなる配線誘導部４１，４２が設けられているが、配線誘導部４１，４２のうち少なくとも一方だけが配線挿通用開口部で構成されていてもよい。また、配線誘導部４１，４２は、配線Ｗをベース部材１０の裏面１２側に向かわせる機能を有していればよく、例えば配線挿通用開口部によって構成された配線誘導部４１，４２に代えて、図１１に示すような、配線Ｗを適正位置に誘導する複数の突出状案内部材からなる構造の配線誘導部４３を採用してもよい。
【００５８】
ところで、遊技機において例えば特開２０１１−５６０９５号公報に開示されているような、光源の点灯時と消灯時とで意匠の異なる装飾表示を行うものが既に提案されている。かかる構成は、図１２（ａ）に示したように、消灯時に現出する絵（第１パール層）に一部透明な部位を設けることで、光源となるＬＥＤの発光時において、パールがある所を抜ける光量と、パールがない所を抜ける光量とで相違があった。そのため、パネル上に明暗のムラができてしまい、外観品質の点において改善の余地があった。
【００５９】
そこで、点灯時に現出する絵と消灯時に現出する絵が形成された層よりも光源に近い側であって、消灯時に現出する第１パール層における透明部位に対応する位置に、第２パール層を設けることを提案することができる。これにより、図１２（ｂ）に示したように、第１層から抜ける光量の平均化を図ることができ、パネル上の明暗のムラが解消され、外観品質が向上する。
【符号の説明】
【００６０】
１          遊技機用配線構造
９          前扉
１０        ベース部材（基部）
１１        表面
１２        裏面
１５        視認開口部
２１        配線通路部
３０，７２  凸状通路部
３１，３３  曲面部
４１        下側配線誘導部（配線挿通用開口部）
４２        上側配線誘導部（配線挿通用開口部）
５１        外周縁側区画壁部
５２        作業用切り欠き部
６１        内周縁側区画壁部
６２        配線保持爪部
６３        傾斜部
６５        補強用リブ
Ｗ          配線
【図１】
2018038539.tif 000003
【図２】
2018038539.tif 000004
【図３】
2018038539.tif 000005
【図４】
2018038539.tif 000006
【図５】
2018038539.tif 000007
【図６】
2018038539.tif 000008
【図７】
2018038539.tif 000009
【図８】
2018038539.tif 000010
【図９】
2018038539.tif 000011
【図１０】
2018038539.tif 000012
【図１１】
2018038539.tif 000013
【図１２】
2018038539.tif 000014
【図１３】
2018038539.tif 000015
【図１４】
2018038539.tif 000016